(57)【要約】【課題】取付部によってできる部分的な影によって、デザイン性を損ねることの無い発光装置を提供することを目的とする。【解決手段】発光部１７の光を入射面１８から導光部１３内に取り込み、第１の導光部分１９から直角方向に折り曲がった第２の導光部分２１を通ることで円周状に光を拡散し、発光部１７の配列面と異なる面を光らせる。上部には光を通さないカバー部１４を備えているため、リング状に光らせることができる。このとき、光の放出面２５の外側から見たとき、導光部１３に部分的に設けた固定部分２７が光の影となって見えてしまうが、固定部分２７によってできる複数の影を環状に繋げる影連結部分２８を設けることで、影を環状にできるため、デザイン性を更に高めることができる。【選択図】図４
2018125166.tif 000002
【特許請求の範囲】
【請求項１】
開口部を有する装着部と、
前記装着部内に前記開口部に対向して設けられた板形状の基板部と、
前記基板部における前記開口部に対向した面に装着した発光部と、
前記発光部からの光が入射する導光部と、
前記導光部からの光を遮るカバー部とを備え、
前記導光部は、
前記発光部と対向した入射面と、
前記入射面から前記装着部の前記開口部方向へ筒状に延びた第１の導光部分と、
前記第１の導光部分における前記装着部の前記開口部側の端部から前記開口部の開口縁へ延びた第２の導光部分とを備え、
前記第２の導光部分における外側面の中央部に前記カバー部を備え、
前記第２の導光部分における外周縁には前記導光部を前記装着部に固定する複数の固定部分と、
複数の前記固定部と一体に形成した影連結部分とを設け、
複数の前記固定部と前記影連結部分とが筒形状となることを特徴とする発光装置。
【請求項２】
前記影連結部分は、
前記第２の導光部分の外周縁における前記基板部側の面から前記基板部方向へ延び、複数の前記固定部分を連結する円弧形状であり、
前記固定部分は、
前記第２の導光部分における外周縁から前記本体ケース内方へ延びた複数の板と、
前記板の先端に設けた爪とを備えたことを特徴とする請求項１に記載の発光装置。
【請求項３】
前記影連結部分は、
前記第２の導光部分における外周と前記カバー部の外周との間に配置され、
前記第２の導光部分の外周および前記カバー部の外周と所定の距離を有することを特徴とする請求項２に記載の発光装置。
【請求項４】
前記カバー部の外面の色は黒色系であることを特徴とする請求項１から３のいずれかに記載の発光装置。
【発明の詳細な説明】
【技術分野】
【０００１】
本発明は、空気調和装置に使用される発光装置に関するものである。
【背景技術】
【０００２】
従来、この種の発光装置は、ＬＥＤを用いた照明が知られている（例えば特許文献１参照）。
【０００３】
開口部を有する本体ケースと、開口部に設けられた板形状の基板部と、基板部の外側の面に装着した発光部とを備え、発光部は透光製の部品によって覆われている。
【先行技術文献】
【特許文献】
【０００４】
【特許文献１】特開２０１３−２４５５７１号公報
【発明の概要】
【発明が解決しようとする課題】
【０００５】
このような従来の発光装置は、透光製の部品を開口部に固定する為、透光製の部品は複数の固定部分を有していた。これらの固定部分は、発光部からの光が当たらない方向へ透光製の部品から突出した構成となっていたので、透光製の部品に複数の影が点在してしまい、デザイン性を損なうという課題があった。
【０００６】
そこで本発明は、透光製の部品にできる複数の点在する影のデザイン性を高めた発光装置を提供することを目的とする。
【課題を解決するための手段】
【０００７】
上述の目的を達成するために、開口部を有する装着部と、前記装着部内に前記開口部に対向して設けられた板形状の基板部と、前記基板部における前記開口部に対向した面に装着した発光部と、前記発光部からの光が入射する導光部と、前記導光部からの光を遮るカバー部とを備え、前記導光部は、前記発光部と対向した入射面と、前記入射面から前記装着部の前記開口部方向へ筒状に延びた第１の導光部分と、前記第１の導光部分における前記装着部の前記開口部側の端部から前記開口部の開口縁へ延びた第２の導光部分とを備え、前記第２の導光部分における外側面の中央部に前記カバー部を備え、前記第２の導光部分における外周縁には前記導光部を前記装着部に固定する複数の固定部分と、複数の前記固定部と一体に形成した影連結部分とを設け、複数の前記固定部と前記影連結部分とが筒形状となることを特徴とし、これにより所期の目的を達成するものである。
【発明の効果】
【０００８】
本発明に係る発光装置によれば、開口部を有する装着部と、前記装着部内に前記開口部に対向して設けられた板形状の基板部と、前記基板部における前記開口部に対向した面に装着した発光部と、前記発光部からの光が入射する導光部と、前記導光部からの光を遮るカバー部とを備え、前記導光部は、前記発光部と対向した入射面と、前記入射面から前記装着部の前記開口部方向へ筒状に延びた第１の導光部分と、前記第１の導光部分における前記装着部の前記開口部側の端部から前記開口部の開口縁へ延びた第２の導光部分とを備え、前記第２の導光部分における外側面の中央部に前記カバー部を備え、前記第２の導光部分における外周縁には前記導光部を前記装着部に固定する複数の固定部分と、複数の前記固定部と一体に形成した影連結部分とを設け、複数の前記固定部と前記影連結部分とが筒形状となることを特徴とし、これにより、光の放出面の外側から見たとき、導光部に部分的に設けた固定部分が光の影となって見えてしまうが、固定部分によってできる複数の影を環状に繋げる影連結部分を設けることで、影を環状にできるため、デザイン性を高めることができる。
【図面の簡単な説明】
【０００９】
【図１】本発明の実施の形態１に係る発光装置を搭載した送風機の外観図
【図２】同送風機の断面図
【図３】同送風機の発光装置部分の分解図
【図４】同送風機の発光装置部分の断面図
【図５】同送風機の発光装置部分の断面詳細図
【図６】同送風機の発光装置部分の導光部下面斜視図
【図７】同送風機の発光装置部分の導光部上面斜視図
【図８】同送風機の発光装置部分の断面図
【図９】同送風機の発光装置部分の平面図
【発明を実施するための形態】
【００１０】
（実施の形態１）
以下、添付図面を参照して、本発明の実施の形態につき説明し、本発明の理解に供する。
【００１１】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１２】
以下、本発明の実施の形態１に係る発光装置について説明する。
【００１３】
図１は、本発明の実施の形態１に係る発光装置を搭載した送風機の外観図で、図２は、同送風機の断面図である。
【００１４】
図１と図２に示すように、ほぼ球体の送風機１が支持台２の上に載っている構成となっている。この送風機１の本体ケース３は、主に外ケース４と内ケース５にて構成されている。内ケース５は、発光装置の装着部である。これら外ケース４と内ケース５の嵌合により６つの誘引吸込口６と吹出口７、誘引吹出口８を形成する。また、内部には風を発生させるファンモーター９を有し、下流側には外ケース４と内ケース５の嵌合により吹出口７と連通した風路を形成している。さらにこの風路上流側には、フィルター１０と吸込口１１が設けられている。
【００１５】
この構成により、送風機１を動作させるとファンモーター９が回ることで内部の圧力が上昇し、空気が吸込口１１から吸い込まれる。送風機１内に吸い込まれた空気は、フィルター１０により除塵され、外ケース４と内ケース５の嵌合により形成された風路を通り、円形のスリット状の吹出口７から勢い良く風となって吹き出される。これにより、誘引作用が働き、誘引吹出口８内が負圧となるため、この空気を補填するために６つの誘引吸込口８から空気が吸込まれ、吹出口７からの風と一緒に吹き出される。そのため、実際のファンモーター９で吹出口７から吹き出される風量の数倍の風となって吹き出されることとなる。
【００１６】
図３は、本発明の実施の形態１に係る同送風機の発光装置部分の分解図である。図４は、同送風機の発光装置部分の断面図である。図５は、同送風機の発光装置部分の断面詳細図である。図６は、同送風機の発光装置部分の導光部下面斜視図である。図７は、同送風機の発光装置部分の導光部上面斜視図である。
【００１７】
図３〜図７に示すように、装着部である内ケース５の中央には、外方へ突出した内ケース突部１２を有している。この内ケース突部１２の上部には、円形の開口部１５を有している。この開口部１５の内方には、多数の発光部１７を有した基板部１６を備えている。発光部１７の外方（図３における上方）には、発光部１７からの光が入射する導光部１３、導光部１３からの光を遮るカバー部１４が順に設けられている。
【００１８】
基板部１６は、平板形状であり、円形の開口部１５における中心軸に対して垂直な面上に、円形の開口部１５の開口縁より内方に配置されている。基板部１６は、開口部１５に対向するように、ねじによって固定されている。
【００１９】
発光部１７の一例は、ＬＥＤ（発光ダイオード）である。発光部１７は、基板部１６における開口部１５に対向した面（図４における上面）のほぼ中央部に多数配置され、円形の開口部１５における中心軸方向において、導光部１３の入射面１８と対向している。導光部１３の入射面１８は、円形の開口部１５における中心軸に対して垂直な面である。発光部１７の光軸は、開口部１５における中心軸と平行である。
【００２０】
導光部１３は、第１の導光部分１９と、第２の導光部分２１と、固定部分２７と、影連結部分２８と、を有している。第１の導光部分１９と、第２の導光部分２１と、爪部分２６とは、透光性の樹脂材料（アクリル樹脂、ＰＳ樹脂、ＡＢＳ樹脂、ＡＳ樹脂）によって、一体に樹脂成型されている。
【００２１】
第１の導光部分１９は、入射面１８から内ケース５の開口部１５方向（図４および図５における上方向）へ延びた円筒形状である。円筒形状の第１の導光部分１９の直径は、中央部から、図４および図５における上方向に向かうにつれて大きくなる。第１の導光部分１９の上部の開口の直径は、第１の導光部分１９の下部の開口の直径より大きい。
【００２２】
第２の導光部分２１は、第１の導光部分１９における内ケース５の開口部１５側の端部（入射面１８の反対側の端部）から開口部１５の開口縁２０へ延びた略平板円環形状である。第２の導光部分２１の周縁部の下部が、開口部１５の開口縁２０に当たった状態で接触している。第２の導光部分２１の外周は、円形状である。第１の導光部分１９の入射面１８から入った発光部１７の光は、第２の導光部分２１の周縁部の側面である放出面２５から外方へ放出される。放出面２５は、円環形状であり、内ケース突部１２とカバー部１４との間に配置されている。また、第２の導光部分２１の内側には、ローレット加工された円周状の目の内ローレット２３を有し、放出面２５には、ローレット加工された放射状の目の外ローレット２４を有している。
【００２３】
固定部分２７は、第２の導光部分の基板部１６側の面から基板部方向（図５における下方向）へ延びた板２７ａと、板２７ａの先端外面から外方に突出した爪２７ｂとを有している。導光部１３は、固定部分２７によって、開口部１５の開口縁２０に固定されている。
【００２４】
カバー部１４は、外方へ凸形状の円板であり、第２の導光部分における外側面の中央部（図４および図５における導光部１３の中央部上面）に固定され、導光部１３からの光を遮るように表面処理が行われている。表面処理の一例は、黒色の塗装である。カバー部１４、導光部１３を内ケース９の開口部１５に装着すると、カバー部１４の外面と、導光部１３の放出面２５と、内ケース突部１２の外面とは連結し、曲面を形成している。
【００２５】
図８は、同送風機の発光装置部分の断面図で、光の導光を示す図である。図９は、同送風機の発光装置部分の平面図で、光の導光、影を示す図である。
【００２６】
図８、図９に示すように、以上の構成において、発光部１７であるＬＥＤを光らせると、光が導光部１３の入射面１８から入り、第１の導光部分１９を通り、さらに第２の導光部分２１を通り、導光部１３の光の放出面２５から外に光を放出される。第１の導光部分１９、および第２の導光部分２１を通る光は、第１の導光部分１９、および第２の導光部分２１の表面で反射を繰返しながら、第１の導光部分１９、および第２の導光部分２１内を進む。
【００２７】
本実施形態における特徴は、複数の固定部２７と一体に形成した影連結部分２７を設け、複数の固定部２７と影連結部分２７とが円筒形状となる点である。影連結部分２８は、第２の導光部分２１の外周縁における基板部１６側の面から基板部１６方向へ延び、複数の固定部分２７を連結する円弧形状である。なお、環状の影２９とは、完全な環状の影だけでなく、一部が欠けた環状の影も含む。
【００２８】
これにより、中心部に設けた発光部１７の光を入射面１８から導光部１３内に取り込み、第１の導光部分１９に対して直角方向に延びた第２の導光部分２１を通ることで円周状に光を拡散し、発光部１７の配列面と異なる面を光らせる。上部には導光部１３からの光を通さないカバー部１４を備えているため、リング状に光らせることができる。このとき、光の放出面２５の外側から見たとき、導光部１３に部分的に設けた固定部分２７が光の影となって見えてしまう。これは、導光部１３から固定部分２７が、発光部１７の光が当たらない方向へ突出しているので、固定部分２７が影となって見えてしまうと考えられる。そこで、複数の固定部２７と一体に形成した影連結部分２７を設け、複数の固定部２７と影連結部分２７とが円筒形状となり、固定部分２７によってできる複数の影を環状に繋げ、環状の影２９にすることで、影が環状に見えるため、デザイン性を高めることができる。
【００２９】
また、影連結部分２８と、固定部分２７とは、第２の導光部分２１における外周と、カバー部１４の外周との間に配置され、第２の導光部分２１の外周およびカバー部１４の外周と所定の距離を有する。
【００３０】
これにより、光の放出面２５の外側から見たとき、環状の影２９は、第２の導光部分２１における外周と、カバー部１４の外周との間に現れるので、環状の影２９が模様のように見え、デザイン性を高めることができる。
【００３１】
また、影連結部分２８と固定部分２７とは、円環状に設けられている。影連結部分２８と固定部分２７とによって形成する円環は、第２の導光部分２１における外周の円、およびカバー部１４の外周の円と、同心の円である。これにより、環状の影２９と、第２の導光部分２１における外周、およびカバー部１４の外周の円との距離が均一になり、より環状の影２９が模様のように見え、デザイン性を高めることができる。
【００３２】
また、カバー部１４の外面の色は黒色系である。これにより、光の放出面２５の外側から見たとき、環状の影２９とカバー部１４の外面の色とが黒色系となり、環状の影２９が、より模様のように見え、デザイン性を高めることができる。
【産業上の利用可能性】
【００３３】
本発明に係る発光装置は、固定部分によってできる複数の影を環状にできるため、デザイン性を高めることができるので、空気調和装置等に使用される発光装置として有用である。
【符号の説明】
【００３４】
１    送風機
２    支持台
３    本体ケース
４    外ケース
５    内ケース
６    誘引吸込口
７    吹出口
８    誘引吹出口
９    ファンモーター
１０    フィルター
１１    吸込口
１２    内ケース突部
１３    導光部
１４    カバー部
１５    開口部
１６    基板部
１７    発光部
１８    入射面
１９    第１の導光部分
２０    開口縁
２１    第２の導光部分
２３    内ローレット
２４    外ローレット
２５    放出面
２７    固定部分
２７ａ    板
２７ｂ    爪
２８    影連結部分
２９    環状の影
【図１】
2018125166.tif 000003
【図２】
2018125166.tif 000004
【図３】
2018125166.tif 000005
【図４】
2018125166.tif 000006
【図５】
2018125166.tif 000007
【図６】
2018125166.tif 000008
【図７】
2018125166.tif 000009
【図８】
2018125166.tif 000010
【図９】
2018125166.tif 000011